(57)【要約】【課題】  従来の電球に代わって、安全に光を生成でき、かつシンプルで、機能的に具体化されたガス燃焼のための装置を提供する【解決手段】  本発明のガス燃焼のための装置は、基礎構造（１）と、前記基礎構造（１）を形成するソレノイドバルブ（２）と、前記ソレノイドバルブ（２）の複数の継手の一つが接続されたガスパイプ（３）と、前記ソレノイドバルブ（２）の他の継手が接続された圧力調整器（４）と、前記圧力調整器（４）の端部に取り付けられたガスバーナー（５）と、を有し、前記基礎構造（１）は、さらに、前記燃焼バーナー（５）に供給されたガスに点火させるスパークを発生するパイロットガスバーナー（６）と、本装置によって生成された熱指数を絶えず測定するためのパラメーターの機能を果たし、外部制御手段（８）がガスフローを中断できるように、中断された前記ガスバーナー（５）を通じて、ガスの燃焼で起こりうる状況を合図する熱センサ（７）と、を含むことを特徴とする。【選択図】            図１
2005049040.tif 000002
【特許請求の範囲】
【請求項１】
基礎構造（１）と、
前記基礎構造（１）を形成するソレノイドバルブ（２）と、
前記ソレノイドバルブ（２）の複数の継手の一つが接続されたガスパイプ（３）と、
前記ソレノイドバルブ（２）の他の継手が接続された圧力調整器（４）と、
前記圧力調整器（４）の端部に取り付けられたガスバーナー（５）と、
を有し、
前記基礎構造（１）は、さらに、
前記燃焼バーナー（５）に供給されたガスに点火させるスパークを発生するパイロットガスバーナー（６）と、
本装置によって生成された熱指数を絶えず測定するためのパラメーターの機能を果たし、外部制御手段（８）がガスフローを中断できるように、中断された前記ガスバーナー（５）を通じて、ガスの燃焼で起こりうる状況を合図する熱センサ（７）と、
を含むことを特徴とするガス燃焼のための装置。
【請求項２】
前記圧力調整器（４）は、電動式の逆止め弁に代えられることを特徴とする請求項１に記載のガス燃焼のための装置。
【請求項３】
前記圧力調整器（４）は、ガスフローが前記ガスバーナー（５）に到達するために通過するために、管形状を示し、前後の端部に固定ネジ山（９）を有し、目盛りを定められたオリフィス４ａが内部に提供されていることを特徴とする請求項１に記載のガス燃焼のための装置。
【請求項４】
前記ガスバーナー（５）は、前記圧力調整器（４）を介して到達するガスフローを受け取り、該ガスの燃焼の間に、可能な限り最も多い量の光を発生することを特徴とする請求項１に記載のガス燃焼のための装置。
【請求項５】
前記パイロットガスバーナー（６）は、接続ターミナル（１０）、電極（１１）、磁器ボディー（１２）および防護クラウン（１３）を含み、前記基礎構造（１）に組付け可能なように、サポート構造（１４）に依存することを特徴とする請求項１に記載のガス燃焼のための装置。
【請求項６】
前記熱センサ（７）は、光学カップラ（１６）、金属ボディー（１７）、処理モジュール（１８）、バイメタル（１９）および固定ネジ山（２０）を有することを特徴とする請求項１に記載のガス燃焼のための装置。
【請求項７】
ソレノイドバルブ（２）への供給、パイロットガスバーナー(６)および熱センサ(７) へのいくつかの電気的接続（２２）と同様に、ガス供給パイプ（３）に接続された光生成ユニット（２１）が統合されていることを特徴とする請求項１に記載のガス燃焼のための装置。
【請求項８】
電子制御モジュール（１５）によって制御されることを特徴とする請求項１に記載のガス燃焼のための装置。
【請求項９】
前記電子制御モジュール（１５）は、オン／オフ動作のノブ（２３）、一般的なスイッチ（２４）、ヒューズ（２５）および供給用接続１１０／２２０ＶＣＡ（２６）に依存し、また、変圧器（２７）および絶縁検査器（２８）も組み入れることを特徴とする請求項８に記載のガス燃焼のための装置。
【請求項１０】
前記電子制御モジュール（１５）は、コンピュータ（２９）が接続されており、該コンピュータ（２９）によって遠隔制御されることを特徴とする請求項９に記載のガス燃焼のための装置。
【請求項１１】
光生成ユニット（２１）の組に依存する照明システムにおいて使用され、
前記光生成ユニット（２１）は、ガス供給パイプ（３）を介してガス蓄電池（３０）に接続され、少なくとも、圧力計（３１）およびバルブ（３２）にさらに依存する供給ラインを形成することを特徴とするガス燃焼のための装置。
【請求項１２】
前記照明システムは、他の供給手段からガスが供給されることを特徴とする請求項１１に記載のガス燃焼のための装置。
【請求項１３】
前記ガス供給手段は、ガスをパイプで送ることを特徴とする請求項１２に記載のガス燃焼のための装置。
【請求項１４】
照明システムは、少なくとも該システムの安全性のための補足的手段として機能するガスセンサ（３３）が組み込まれた光生成ユニット（２１）を基礎とすることを特徴とする請求項１１に記載のガス燃焼のための装置。
【発明の詳細な説明】
【技術分野】
【０００１】
本発明は、ガス燃焼のための装置を扱うものに関する。このガス燃焼のための装置は、例えば、ＧＬＰ、ＧＮおよびＧＲなどのガスが燃えることによって光を発生するという性質を利用するものであり、住居用、商用および産業用の施設などで発光手段として使用されるといったように、様々な目的に使用される
【背景技術】
【０００２】
ガスは、様々な態様で、たとえば、ストーブにくべるために、または、中央暖房環境における湯沸しのために、住環境において一般的に使用されている。
【０００３】
大規模な使用としては、熱電気装置に電力を生成するための手段としてガスが使用されることが挙げられる。この熱電気装置は、ボイラを暖めるための熱の生成のためにガスを使い果たし、ボイラは、蒸気を発生することによって順番に電気生成ユニットに連結されている複数の特殊なタービンを駆動する。
【０００４】
これに対し、小規模な使用としては、ガスはより多く使用されている。たとえば、従来の電球に代わって有利に使用される照明手段としても使用されている。
【０００５】
しかし、いまだ、安全にガス（ＧＬＰ、ＧＮまたはＧＲ）を光に変えることができる全機能的装置はない。これを理由に、ガスをエネルギー源として利用することが消極的になっており、上述のように、ストーブ内で燃焼したり、または一般的に蛇口から使うように、灌水でも使用できる湯沸しを提供したりするといった使い方だけに制限されていた。
【発明の開示】
【発明が解決しようとする課題】
【０００６】
本発明は、上記問題に鑑みてなされたものである。
【０００７】
本発明の目的の一つは、従来の電球と同じ目的を達成でき、これに代わって、安全に光を生成でき、かつシンプルで、機能的に具体化されたガス燃焼のための装置を提供することである。
【０００８】
本発明の他の目的は、小規模な使用だけでなく、大規模な使用も完全に両立できる安全な手段を備えた、ガス燃焼のための装置を提供することである。
【０００９】
さらに本発明の他の目的は、電子制御装置によって完全に制御可能なシステムの一部および一区画として使用され、これによって自身の自動操作および安全レベルを向上できる、ガス燃焼のための装置を提供することである。
【課題を解決するための手段】
【００１０】
ガス燃焼のための装置は、基礎構造（１）と、前記基礎構造（１）を形成するソレノイドバルブ（２）と、前記ソレノイドバルブ（２）の複数の継手の一つが接続されたガスパイプ（３）と、前記ソレノイドバルブ（２）の他の継手が接続された圧力調整器（４）と、前記圧力調整器（４）の端部に取り付けられたガスバーナー（５）と、を有し、前記基礎構造（１）は、さらに、前記燃焼バーナー（５）に供給されたガスに点火させるスパークを発生するパイロットガスバーナー（６）と、本装置によって生成された熱指数を絶えず測定するためのパラメーターの機能を果たし、外部制御手段（８）がガスフローを中断できるように、中断された前記ガスバーナー（５）を通じて、ガスの燃焼で起こりうる状況を合図する熱センサ（７）と、を含むことを特徴とする。
【発明の効果】
【００１１】
本発明のガス燃焼のための装置によれば、熱センサにより絶えず熱指数を測定し、ガスの燃焼が中断したときには、外部制御手段がガスフローを中断できるようにしているので、安全に光を生成できる。また、熱センサでガスの燃焼を検出するという構成なので、装置全体をシンプルにできる。
【発明を実施するための最良の形態】
【００１２】
以下、最新技術の光制限を考慮して、上述の目的を達成できるガス燃焼のために開発された装置について、図面を参照して説明する。
【００１３】
図１は、光生成手段として適当に用いられる本装置の部分的な断面図である。
【００１４】
図面に示すように、本発明のガス燃焼のための装置は、基礎構造１と、基礎構造１を形成するソレノイドバルブ２と、ソレノイドバルブ２の複数の継手（ｃｏｎｎｅｃｔｉｏｎ）の一つが接続されたガスパイプ３と、ソレノイドバルブ２の他の継手が接続された圧力調整器４と、圧力調整器４の端部に取り付けられたガスバーナー５と、を有する。
【００１５】
基礎構造１は、さらに、パイロットガスバーナー６と、熱センサ７とを有する。パイロットガスバーナー６は、燃焼バーナー５に供給されたガスに点火させるスパークを発生する。また、熱センサ７は、本発明のガス燃焼のための装置によって生成された熱指数を絶えず測定するためのパラメーター、たとえば、シグナリング（ｓｉｇｎａｌｉｎｇ）の機能を果たす。この熱センサ７は、ガスバーナー５の燃焼が中断した場合には、中断されたガスバーナー５を通じてガスの燃焼で起こりうる状況を合図し、外部制御手段８がガスフローを中断することを可能とする。
【００１６】
ソレノイドバルブ２は、いわゆるドラム型で、３／８または１／２インチのガス雌ネジが好ましく、その節点はＮＦタイプ、すなわち常閉である。
【００１７】
圧力調整器４は、ソレノイドバルブ２およびガスバーナー５の間の接続を仲介する機能を果たす。圧力調整器４は、ガスバーナー５に到達するガスフローの圧力下でも制御可能であり、これにより上述のガスバーナー５がもたらす炎の強度に直接影響を与える。
【００１８】
選択的に、圧力調整器４は、今回提案される装置の運転の全自動化を許容する複数の機械的構造に置き換えられてもよい。機械的構造の一例としては、電動式の逆止め弁（不図示）が挙げられる。
【００１９】
逆止め弁の使用は、制御手段８が特定の使用に必要なガスのパーセントを調整することを可能とする。それゆえ、本発明のガス燃焼のための装置は、図１および２に示すようなシステムの一部となる。
【００２０】
さらに、圧力調整器４は、図示するように、ガスフローがガスバーナー５に到達するために通過できるように、管形状を有し、両端（前後）に固定のためのネジ山９を有し、目盛りが定められたオリフィス４ａが内部に提供されている。
【００２１】
ガスバーナー５の目的は、圧力調整器４を通じて到着するガスフローを受け取り、そのようなガスを分配し、ガスの燃焼の間に、可能な限り最も多い量の光を発生することである。
【００２２】
パイロットガスバーナー６は、ガスバーナー５に到達しているガスの燃焼を開始するための火花を生成することを目的とする。したがって、このパイロットガスバーナー６は、ソフトウェアによる指令を通じて、高圧の電子スパークを生成する。パイロットガスバーナー６は、例えば、存在センサ（不図示）に接続され、ユーザによって簡単に操作できるように、いかなる種類のスイッチ装置に対しても、その動作の自動化を可能とする。
【００２３】
パイロットガスバーナー６は、接続ターミナル１０、電極１１、磁器ボディー１２および防護クラウン１３から成る。パイロットガスバーナー６は、さらに、図１に示すように、基礎構造１上に組付け可能なように、サポート構造１４に依存する。
【００２４】
熱センサ７は、燃焼ガスバーナーによって生成された炎により放射される熱を捕らえる機能を有し、既に引用されている制御手段８の一部および一区画である電子制御モジュール１５を一体化しているデータ処理装置に、このサインを送信する。それゆえ、熱センサ７は、炎の存在を意味するサインや、炎が存在しない場合の他のサイン（０に等しい）を送信する。ここで、炎が存在しない場合には、熱センサ７によって送信されたサインは、ソレノイドバルブ２の閉鎖、本装置へのガスの供給の中断、システムの保全を決定する。
【００２５】
図１で適切に示すように、熱センサ７は、光学カップラ１６、金属ボディー１７、処理モジュール１８、バイメタル１９および固定ネジ山２０を有する。
【００２６】
図１は、一区画における概略図であり、これを参照すると、ガス供給パイプ３は、ソレノイドバルブ２、パイロットガスバーナー６および熱センサ７へのいくつかの電気的接続２２と同様に、光生成ユニット２１の方へ接続されている。
【００２７】
同じく図１は、装置のいくつかの電気的接続２２がどこに到着するかについて、電子制御モジュール１５に関して略図で示している。
【００２８】
電子制御モジュール１５は、オン／オフ動作のノブ２３、一般的なスイッチ２４、ヒューズ２５および供給用接続１１０／２２０ＶＣＡ２６に依存している。
【００２９】
同じく図１は、電子制御モジュール１５は、また、変圧器２７および絶縁検査器２８も組み入れることをさらに明らかにする。
【００３０】
さらに、図１に関して、電子制御モジュール１５は、自身に接続されたコンピュータ２９によって遠隔制御可能であることがわかる。
【００３１】
図２は、本発明の装置を利用した照明システムを示す概略図である。図２に示す照明システムは、光生成ユニット２１の組を有する。光生成ユニット２１は、ここで提示されるガス燃焼のための装置のモデル内部でそれぞれ結合されている。
【００３２】
光生成ユニット２１は、ガス供給パイプ３を介してガス蓄電池３０に接続されている。供給ラインは、さらに、少なくとも圧力計３１およびバルブ３２に依存している。照明システムは、他のガス供給手段からガスが供給されてもよい。このガス供給手段は、ガスをパイプで送る。
【００３３】
光生成ユニット２１の組は、また、接続ライン２２の組を介して、電子制御モジュール１５に接続されている。これらのライン２２は、さらに、少なくともシステムの安全性のための補足的手段として機能するガスセンサ３３を含む。照明システムは、少なくともガスセンサ３３が組み込まれた光生成ユニット２１を基礎とする
また、図２では、電子制御モジュール１５は、システムの全体的な制御が行使されるコンピュータ２９に接続されている。
【００３４】
以上のように、本発明のガス燃焼のための装置によれば、熱センサ７により絶えず熱指数を測定し、ガスの燃焼が中断したときには、外部制御手段８がガスフローを中断できるようにしているので、安全に光を生成できる。また、熱センサでガスの燃焼を検出するという構成なので、装置全体をシンプルにできる。
【００３５】
また、本発明のガス燃焼のための装置では、電子制御モジュール１５によって完全に制御可能なシステムの一部および一区画として使用され、これによって自身の自動操作および安全レベルを向上できる。
【００３６】
以上説明してきたガス燃焼のための装置は、上記のような単純かつ機能的な実施形態に限定されず、本発明の技術的思想内で種々の変更をすることができる。
【００３７】
ガス燃焼のための装置の他の使用の一つ（不図示）としては、例えば、本発明の装置を潅水器に直接まとめて接することによって、中央ヒーターの使用を不必要とする湯沸しユニットに使用することが考えられる。
【００３８】
今回提案される発明は、さらに、従来の電力エネルギーのいくらかの使用形態の代わりとなり安価であるという本発明の目的を達成できる、いくつかの使用態様に改変できる。
【図面の簡単な説明】
【００３９】
【図１】光生成手段として適当に用いられる本装置の部分的な断面図である。
【図２】本発明のガス燃焼のための装置の使用に基づく光生成システムを示す図である。
【符号の説明】
【００４０】
１…基礎構造、
２…ソレノイドバルブ、
３…ガス供給パイプ、
４…圧力調整器、
５…ガスバーナー、
６…パイロットガスバーナー、
７…熱センサ、
８…制御手段、
９…ネジ山、
１０…接続ターミナル、
１１…電極、
１２…磁器ボディー、
１３…防護クラウン、
１４…サポート構造、
１５…電子制御モジュール、
１６…光学カップラ、
１７…金属ボディー、
１８…処理モジュール、
１９…バイメタル、
２０…固定ネジ山、
２１…光生成ユニット、
２２…接続ライン、
２３…ノブ、
２４…スイッチ、
２５…ヒューズ、
２７…変圧器、
２８…絶縁検査器、
２９…コンピュータ、
３０…ガス蓄電池、
３１…圧力計、
３２…バルブ、
３３…ガスセンサ。
【図１】
2005049040.tif 000003
【図２】
2005049040.tif 000004